【手続補正書】
【提出日】平成16年8月16日(2004.8.16)
【手続補正１】
【補正対象書類名】明細書
【補正対象項目名】全文
【補正方法】変更
【補正の内容】
【書類名】      明細書
【発明の名称】  パチンコ機
【特許請求の範囲】
【請求項１】  遊技盤が組み付けられるベース枠と、前記遊技盤の遊技面を透視可能な開口窓を有するガラス扉と、を備え、
前記ガラス扉には、上端にガラス差込口が設けられ、かつ前記開口窓を塞ぐガラス板を前記ガラス差込口から抜き差しすることによって着脱可能に保持するガラス保持枠が設けられ、
前記ガラス差込口には、ガラス押え体が設けられ、
前記ガラス押え体は、支持ピンと、その支持ピンが回動及びスライド可能に貫挿される長孔状のスライド孔を有する支持アームと、を介して、前記ガラス板を押えるガラス押え位置と、前記ガラス差込口を開いて待避する待避位置とに変位可能に組み付けられ、
前記ガラス扉が閉じ動作されたときには、そのガラス扉の閉じ動作に基づいて、前記支持アームを前記支持ピンに対して回動及びスライド動作させることで、前記ガラス押え体を自重によって前記ガラス押え位置に変位させる連動手段が配設されていることを特徴とするパチンコ機。
【請求項２】  請求項１に記載のパチンコ機において、
連動手段は、ガラス扉が閉じ動作されたときにベース枠等の扉支持体に当接してガラス押え体をガラス押え位置に変位させるように支持アームに形成された連動面によって構成されていることを特徴とするパチンコ機。
【発明の詳細な説明】
【０００１】
【発明の属する技術分野】
この発明はパチンコ機に関し、特に、遊技盤が組み付けられるベース枠と、そのベース枠の前側に開閉可能に組み付けられかつ中央部に前記遊技盤の遊技面を透視可能な開口窓を有するガラス扉と、を備えたパチンコ機に関する。
【０００２】
【従来の技術】
この種のパチンコ機には、すでに同一出願人によって出願がなされた特願平９−８５３１２号に記載された構造のものがある。
このようなパチンコ機において、ベース枠の前側に開閉可能に組み付けられたガラス扉の裏面には、方形のガラス板を着脱可能に保持するためのガラス差込口を有する略Ｕ字枠状のガラス保持枠が設けられている。
そして、ガラス保持枠に対しそのガラス差込口からガラス板が差し込まれて保持されることで、ガラス扉の中央部に形成された略円形の開口窓が前記ガラス板によって塞がれるようになっている。
また、ガラス保持枠に保持されたガラス板のガタツキや異物の侵入を防止するために、前記ガラス保持枠のガラス差込口にはガラス押え体が組み付けられている。このガラス押え体は、前記ガラス差込口を閉じて前記ガラス板を押えるガラス押え位置と、前記ガラス差込口を開いて待避する待避位置とに変位可能となっている。
【０００３】
【発明が解決しようとする課題】
ところで、前記したように構成されるパチンコ機において、開かれたガラス扉が閉じられる際、ガラス押え体が待避位置に配置された状態のまま、誤ってガラス扉が閉じられると、前記ガラス押え体がベース枠などに衝突して損傷される場合があった。
この発明の目的は、前記問題点に鑑み、ガラス押え体が待避位置に配置された状態のまま、ガラス扉が閉じられたとしても、そのガラス扉の閉じ動作に基づいてガラス押え体をガラス押え位置に変位させることで、ガラス押え体の損傷事故を防止することにある。
【０００４】
【課題を解決するための手段】
前記目的を達成するために、請求項１の発明に係るパチンコ機は、遊技盤が組み付けられるベース枠と、前記遊技盤の遊技面を透視可能な開口窓を有するガラス扉と、を備え、
前記ガラス扉には、上端にガラス差込口が設けられ、かつ前記開口窓を塞ぐガラス板を前記ガラス差込口から抜き差しすることによって着脱可能に保持するガラス保持枠が設けられ、
前記ガラス差込口には、ガラス押え体が設けられ、
前記ガラス押え体は、支持ピンと、その支持ピンが回動及びスライド可能に貫挿される長孔状のスライド孔を有する支持アームと、を介して、前記ガラス板を押えるガラス押え位置と、前記ガラス差込口を開いて待避する待避位置とに変位可能に組み付けられ、
前記ガラス扉が閉じ動作されたときには、そのガラス扉の閉じ動作に基づいて、前記支持アームを前記支持ピンに対して回動及びスライド動作させることで、前記ガラス押え体を自重によって前記ガラス押え位置に変位させる連動手段が配設されていることを特徴とする。
【０００５】
したがって、ガラス扉が閉じ動作されたときには、そのガラス扉の閉じ動作に基づいて、連動手段によって支持アームを支持ピンに対して回動及びスライド動作させることで、ガラス押え体を自重によってガラス押え位置まで変位させることができる。このため、ガラス押え体がベース枠等の扉支持体に衝突して損傷される不具合を確実に防止することができる。
【０００６】
また、請求項２の発明に係るパチンコ機は、請求項１に記載のパチンコ機において、
連動手段は、ガラス扉が閉じ動作されたときにベース枠等の扉支持体に当接してガラス押え体をガラス押え位置に変位させるように支持アームに形成された連動面によって構成されていることを特徴とする。
【０００７】
したがって、ガラス扉が閉じられる際、まず、ガラス押え体の支持アームの連動面がベース枠等の扉支持体に当接する。引き続くガラス扉の閉じ動作に基づいて、前記支持アームが支持ピンを中心として回動しながらスライドすることで、ガラス押え体がガラス押え位置まで確実に変位される。
このようにして、ガラス押え体がガラス押え位置に変位されることで、ガラス押え体がベース枠等の扉支持体に衝突して損傷される不具合が確実に防止される。
【０００８】
【発明の実施の形態】
この発明の実施の形態を図面にしたがって説明する。
図４〜図６において、パチンコ機１は、木枠２、ベース枠１０及びガラス扉３０を主体として構成されている。
木枠２は、方形枠状に形成され、その前面の下部にはベース受板３が取り付けられている。
木枠２の前面の一側には、ベース枠用ヒンジ５によってベース枠１０が開閉可能に組み付けられている。
【０００９】
図５と図６に示すように、ベース枠１０は、遊技盤１３の前面の略全体を露出する開口部を有する方形額縁状に形成され、そのベース枠１０の裏面には、その開口部周縁に沿って支持枠１１が設けられ、その支持枠１１には複数の締付具１９が組み付けられている。
前記支持枠１１には遊技盤１３が着脱可能に嵌込まれ、支持枠１１の片側には、裏機構用ヒンジ１５によって裏機構板１６が開閉可能に組み付けられている。
そして、ベース枠１０に対し前記遊技盤１３と裏機構板１６とが複数の締付具１９によって固定されるとともに、複数の締付具１９を外して裏機構板１６を開いた状態のもとで、ベース枠１０の裏面側からその支持枠１１に対し遊技盤１３が着脱されるようになっている。
【００１０】
また、図６に示すように、前記ベース枠１０の裏面の自由端側には、上下二つのベース施錠用フック１７が上下方向にスライド可能に組み付けられ、木枠２に対しベース枠１０が閉じられたときには、そのベース施錠用フック１７が木枠２に固定の図示しない係合部に係合し、これによって木枠２に対しベース枠１０が閉じ状態に施錠されるようになっている。なお、木枠２に対するベース枠１０の解錠は、図４と図５に示すように、ベース枠１０の前面の自由端側下部寄りに配設された鍵穴２２に対し鍵を挿入し、その鍵を一方向に回動操作することで、ベース施錠用フック１７が下方にスライドして木枠２の係合部から外れ、これによって、木枠２に対しベース枠１０が解錠されるようになっている。
【００１１】
図７と図８に示すように、前記ベース枠１０の開口部周縁部には下部差込溝２３、左右の両側部差込溝２４及び上部差込溝２５が略四角環状をなして設けられている。さらに、図４と図５に示すように、ベース枠１０の前面の下部には、パチンコ球発射用のハンドル２０や下皿２１が組み付けられている。
【００１２】
図５に示すように、前記ベース枠１０の前面の一側には扉用ヒンジ２８によってガラス扉３０が開閉可能に組み付けられている。
前記ガラス扉３０の主体部をなす扉本体３１の中央部には、前記遊技盤１３の遊技面１４を透視可能な略円形の開口窓３２が形成されている。
前記扉本体３１の裏面には、開口窓３２を塞ぐ前後二枚の方形のガラス板２９を保持するするためのガラス保持枠３３が配設されている。
前記ガラス保持枠３３は、開口窓３２の下方において左右方向に延びる下枠部３４と、その下枠部３４の左右両端から上方に延びる左右の両側枠部３７とを備えて略Ｕ字枠状に形成されている。
【００１３】
図７と図８に示すように、前記ガラス保持枠３３の下枠部３４及び左右の両側枠部３７には、前後二枚のガラス板２９を保持するための保持溝３５、３８がそれぞれ形成されている。さらに、左右の両側枠部３７の各保持溝３８はこれら側枠部３７の上端に開口し、その各保持溝３８の上端開口部をガラス差込口としている。そして、前後二枚のガラス板２９の左右両側部が左右の両側枠部３７のガラス差込口から各保持溝３８に差し込まれ、そのガラス板２９の下縁が下枠部３４の保持溝３５に差し込まれて支持されることで、ガラス板２９が保持されるようになっている。
前記ガラス保持枠３３の下枠部３４及び左右の両側枠部３７には、ベース枠１０の下部差込溝２３及び左右の両側部差込溝２４に対しそれぞれ差し込まれて異物の侵入を防止する下部差込片３６と側部差込片３９とがそれぞれ形成されている。
【００１４】
前記ガラス保持枠３３の左右の両側枠部３７の上端には、ガラス押え体６１が、図１の（Ｂ）及び図３の（Ｂ）に示すように、両側枠部３７の上端に跨りかつそのガラス差込口を閉じてガラス板２９の上端を押えるガラス押え位置と、図１の（Ａ）及び図２の（Ａ）に示すように、ガラス差込口を開いて待避する待避位置とに変位可能に組み付けられている。
この実施の形態において、ガラス押え体６１は、支持ピン４０と支持アーム６５によって前記ガラス押え位置と待避位置とに変位可能に組み付けられている。
【００１５】
すなわち、図１〜図３に示すように、ガラス保持枠３３の左右の両側枠部３７の外側面の上端寄り部分には、左右の一対の支持ピン４０が略水平状に突出され、これら支持ピン４０に回動及びスライド可能に嵌挿される長孔状のスライド孔６６をそれぞれ有する左右一対の支持アーム６５がガラス押え体６１の左右両端部に一体状に形成されている。さらに、ガラス押え体６１の下面には、二枚のガラス板２９の上端部の間に挿脱可能に挿入される突部６２が形成されている。
そして、ガラス押え体６１は、支持ピン４０と一対の支持アーム６５によって支持された状態においてガラス押え位置に配置されたときには、図１の（Ｂ）、図３の（Ｂ）及び図７に示すように、ガラス保持枠３３の両側枠部３７の上端に跨りかつそのガラス差込口を閉じるとともに、その突部６２が二枚のガラス板２９の上端部の間に挿入されて二枚のガラス板２９のガタツキを防止しながらこれらガラス板２９を押える。
さらに、ガラス押え体６１が待避位置に配置されたときには、図１の（Ａ）及び図２の（Ａ）に示すように、ガラス差込口を開いて待避するとともに、その後縁がガラス保持枠３３の左右の両側枠部３７の側部差込片３９の上端部に当接して所定の傾き状態に保持されるようになっている。
【００１６】
ベース枠１０に対し、開かれたガラス扉３０が閉じ動作されたときには、そのガラス扉３０の閉じ動作に基づいてガラス押え体６１をガラス押え位置に変位させる連動手段７０がベース枠１０とガラス押え体６１との間に配設されている。
この実施の形態において、一対の支持アーム６５の各一方（図１の（Ａ）において上方）のアーム片６７の先端部には、ベース枠１０に対しガラス扉３０が閉じ動作されたときにベース枠１０の前面に当接してガラス押え体６１をガラス押え位置に変位させる連動面７１が形成され、その連動面７１によって連動手段７０が構成されている。
また、図３の（Ｂ）及び図７に示すように、ガラス押え体６１の先端部には、ベース枠１０の上部差込溝２５に差し込まれて異物の侵入を防止する差込片６３が形成されている。
【００１７】
図５に示すように、ガラス扉３０の裏面の自由端側には、上下及び中間の計三つの扉施錠用フック８０が上下方向にスライド可能に組み付けられ、ベース枠１０に対しガラス扉３０が閉じられたときには、その扉施錠用フック８０がベース枠１０に形成された係合穴８１に係合し、これによって、ベース枠１０に対しガラス扉３０が閉じ状態に施錠されるようになっている。なお、ベース枠１０に対するガラス扉３０の解錠は、ベース枠１０の鍵穴２２に対し鍵を挿入し、その鍵を、前記木枠２に対するベース枠１０の解錠方向とは逆の方向に回動操作することで、扉施錠用フック８０が下方にスライドして係合穴８１から外れ、これによって、ベース枠１０に対しガラス扉３０が解錠されるようになっている。
図４、図７及び図８に示すように、ガラス扉３０の扉本体３１の前面には、その開口窓３２の周囲において凹凸の装飾が施された合成樹脂製の装飾用プレート５０が組み付けられ、その装飾用プレート５０には、光が出射されるレンズを備えた飾り窓５１が適宜に形成される他、遊技盤１３の盤面に貼り付けられた証紙を透視可能な窓５２が形成されている。
【００１８】
また、図４と図５に示すように、ベース枠１０の前面の一側には、前記ガラス扉３０の下方に隣接しかつ図示しないヒンジによって前板９０が開閉可能に組み付けられている。前板９０の裏面の自由端側にはベース枠１０に対し前板９０を閉じ状態に係脱可能に保持する閉止爪９２を備えた係合金具９１が配設され、前板９０の前面には上皿９３が配設されている。
【００１９】
この実施の形態のパチンコ機１は上述したように構成される。したがって、図５に示すように、ベース枠１０に対しガラス扉３０が開かれた状態のもとで遊技盤１３前面の遊技面１４の釘調整や点検等が行われる。
ベース枠１０に対しガラス扉３０が開かれた状態において、図１の（Ａ）及び図２の（Ａ）に示すように、ガラス押え体６１が待避位置に配置され、ガラス保持枠３３のガラス差込口が開かれることで、ガラス保持枠３３に対する前後二枚のガラス板２９の着脱が行われる。
【００２０】
前記ガラス押え体６１が待避位置に配置された状態において、ベース枠１０に対しガラス扉３０が閉じられる際、まず、図２の（Ｂ）に示すように、ガラス押え体６１の支持アーム６５の連動面７１がベース枠１０の前面に当接する。引き続くガラス扉３０の閉じ動作に基づいて、図３の（Ａ）に示すように、前記支持アーム６５がそのスライド孔６６において支持ピン４０を中心として回動しながら自重によって下方にスライドする。
そして、図３の（Ｂ）に示すように、ガラス扉３０が閉じ位置まで閉じられ扉施錠用フック８０によって閉じ位置に施錠されることで、ガラス押え体６１が自重によって元のガラス押え位置まで確実に変位され、図７に示すように、ガラス押え体６１の突部６２が前後二枚のガラス板２９の間に挿入される。
このようにして、ガラス押え体６１がガラス押え位置に変位されることで、ベース枠１０の前面にガラス押え体６１が衝突して損傷される不具合が確実に防止される。
【００２１】
また、前記ガラス保持枠３３の下枠部３４及び左右の両側枠部３７の下部差込片３６と側部差込片３９とが、ベース枠１０の下部差込溝２３及び左右の両側部差込溝２４にそれぞれ差し込まれ、ガラス押え体６１の差込片６３がベース枠１０の上部差込溝２５に差し込まれるため、ベース枠１０とガラス扉３０との間に異物が侵入されて不正がなされる不具合が確実に防止される。
さらに、ガラス押え体６１の差込片６３がベース枠１０の上部差込溝２５に差し込まれることで、ガラス押え体６１が上下方向に不測にガタツク不具合も防止することができる。
【００２２】
なお、前記実施の形態では、木枠２に対してベース枠１０が開閉可能に組み付けられ、そのベース枠１０に対しガラス扉３０が開閉可能に組み付けられた構造のパチンコ機１を例示したが、この発明はこれに限るものではない。
例えば、木枠に対し、ベース枠とガラス扉とがそれぞれ開閉可能に組み付けられる構造のパチンコ機であっても採用することができる。
この場合には、木枠に対してガラス扉が開閉動作され、そのガラス扉の閉じ動作に基づいてガラス押え体をガラス押え位置に変位させる。
また、図９に示すように、ベース枠１０が組み付けられた木枠２又はそのベース枠１０に対し、装飾枠５５が開閉可能に組み付けられ、その装飾枠５５の裏面側にガラス押え体６１を有するガラス扉３０が開閉可能に組み付けられた構造のパチンコ機であっても採用することができる。
この場合には、装飾枠５５に対しガラス扉６１が開閉動作され、そのガラス扉６１の閉じ動作に基づいてガラス押え体６１をガラス押え位置に変位させる。
【００２３】
【発明の効果】
以上述べたように、請求項１に記載の発明によれば、ガラス押え体が待避位置に配置された状態のまま、ガラス扉が閉じられたとしても、そのガラス扉の閉じ動作に基づいてガラス押え体を自重によってガラス押え位置に変位させることでき、ガラス押え体がベース枠等の扉支持体に衝突して損傷される不具合を防止することができる。
また、請求項２に記載の発明によれば、ガラス押え体をガラス押え位置に変位させるための連動手段専用の部品を設ける必要性がなく、構造がきわめて簡単でかつ安価に提供することができる。
【図面の簡単な説明】
【図１】
この発明の実施の形態のガラス扉におけるガラス保持枠に対しガラス押え体が待避位置とガラス押え位置とにそれぞれ配置された状態を示す斜視図である。
【図２】
同じくベース枠に対するガラス扉の閉じ動作に基づいてガラス押え体が待避位置から変位される過程を順に示す作用説明図である。
【図３】
同じくベース枠に対するガラス扉の閉じ動作に基づいてガラス押え体がガラス押え位置まで変位される過程を順に示す作用説明図である。
【図４】
同じくパチンコ機の全体を示す正面図である。
【図５】
同じくベース枠に対しガラス扉が開かれた状態を示す斜視図である。
【図６】
同じく木枠に対しベース枠と共にガラス扉が開かれた状態を示す斜視図である。
【図７】
同じく図４のＶＩＩ−ＶＩＩ線に基づくパチンコ機の縦断面図である。
【図８】
同じく図４のＶＩＩＩ−ＶＩＩＩ線に基づくパチンコ機の横断面図である。
【図９】
この発明の他の実施の形態のパチンコ機の装飾枠とガラス扉との関係を示す斜視図である。
【符号の説明】
１  パチンコ機
２  木枠
１０  ベース枠（扉支持体）
１３  遊技盤
１４  遊技面
２９  ガラス板
３０  ガラス扉
３２  開口窓
３３  ガラス保持枠
３５、３８  保持溝
４０  支持ピン
６１  ガラス押え体
６５  支持アーム
７１  連動面（連動手段）